(57)【要約】【課題】  育苗の管理が容易となる苗ユニットを提供する。【解決手段】  透水性及び通気性を有する防草シート部５と、この防草シート部の裏面に重ねて取り付けてある第１及び第２の下シート部６ａ，６ｂとからなるユニット本体２と、第１及び第２の下シート部６ａ，６ｂによって形成されている収納袋６内に充填してある培土３とを備え、防草シート部５は、その外側が上記第１及び第２の下シート部の周囲を囲むように外側に延伸したスカート部５ｂを形成し、第１及び第２の下シート部６ａ，６ｂは透水性及び通気性を有しており、第２の下シート部が第１の下シート部と上記防草シート部との間に配置されており、苗４は防草シート部及び第２の下シート部６ｂを介して培土３に植え付けられる。【選択図】        図３
2010045988.tif 000002
【特許請求の範囲】
【請求項１】
ユニット本体と培土とを備えており、
上記ユニット本体は、透水性及び通気性を有する防草シート部と、この防草シート部の裏面に重ねて取り付けてある第１及び第２の下シート部とを備えており、
上記防草シート部は、その外側が上記第１及び第２の下シート部の周囲を囲むように外側に延伸したスカート部を形成しており、
上記第１及び第２の下シート部は透水性及び通気性を有しており、上記第２の下シート部が上記第１の下シート部と上記防草シート部との間に配置されており、
上記培土は、上記第１の下シート部と第２の下シート部とによって形成されている収納袋に充填されており、上記培土に植えられる苗を育成可能である
ことを特徴とする苗ユニット。
【請求項２】
防草シート部及び第１の下シート部が不織布製シートであり、第２の下シート部が紙製シートであることを特徴とする請求項１記載の苗ユニット。
【請求項３】
防草シート部並びに第１及び第２の下シート部は四角形に形成されており、上記第１及び第２の下シート部が上記防草シート部の中央部分に配置されていることを特徴とする請求項１又は請求項２記載の苗ユニット。
【請求項４】
防草シート部並びに第１及び第２の下シート部は四角形に形成されており、上記第１及び第２の下シート部が上記防草シート部の中央部分に配置され、スカート部が上記第１の下シート部の全周を囲んでおり、上記スカート部の折り曲げ部分で上記第１の下シート部の裏側を被覆可能であることを特徴とする請求項１又は請求項２記載の苗ユニット。
【請求項５】
防草シート部並びに第１及び第２の下シート部は四角形に形成されており、上記第１及び第２の下シート部が防草シート部の片側に配置されていることを特徴とする請求項１又は請求項２記載の苗ユニット。
【請求項６】
防草シート部並びに第１及び第２の下シート部は四角形に形成されており、上記第１及び第２の下シート部が上記防草シート部の片側に配置され、スカート部が上記第１の下シート部の全周を囲んでおり、上記スカート部の折り曲げ部分で上記第１の下シート部の裏側を被覆可能であることを特徴とする請求項１又は請求項２記載の苗ユニット。
【請求項７】
防草シート部には苗が貫通可能の挿通部を設けてあることを特徴とする請求項１乃至請求項６のいずれかに記載の苗ユニット。
【発明の詳細な説明】
【技術分野】
【０００１】
この発明は、道路の分離帯や斜面などの植栽地に使用される苗又は苗木（以下「苗」という。）を育成するための苗ユニットに関するものである。
【背景技術】
【０００２】
野菜や樹木などの苗を栽培し易くするために、袋内に培土を充填し、この培土に苗を植えて育成する方法が知られている。例えば、特許第３５９０７１５号特許公報に記載の袋苗においては、不透水性シート部と透根性シート部とを重ね合わせて、培土の充填口を残して両者の周辺部を一体にして、不透水性シート部は周辺部が外側へ延展した被覆部を備えている。袋苗を使用する場合、上記充填口から培土を充填してからこの充填口を塞ぎ、上側の不透水性シート部を刃物で切り開いて、苗を培土に植え込む。この苗を植込んだ袋を切土のり面や盛土のり面などの植栽面上に透根性シート部を下にして置き、上記被覆部を袋の設置面の周囲を覆うようにする。
【特許文献１】特許第３５９０７１５号特許公報
【発明の開示】
【発明が解決しようとする課題】
【０００３】
上記袋苗によれば、被覆部で袋の設置面の周囲を覆うことにより、その部分に雑草が発生するのが阻止される利点がある。しかしながら、上記部分からの水分の蒸発が抑制される反面、蒸散作用が抑制させることに伴って袋内で蒸れることがあり、育苗に悪い影響を与える可能性があるものと推察される。また上記袋苗を平地に設置した場合、雨水を袋内の培土に取り込む箇所は上側の不透水性シート部に切り開いた部分のみであり、培土への必要な水分補給が足りないことがあり、植栽が乾燥により枯死することも考えられる。
育苗の管理を容易にするためには改良の余地があった。
この発明の目的は、育苗の管理が容易となる苗ユニットを提供することにある。
【課題を解決するための手段】
【０００４】
この発明の第１の特徴は、ユニット本体と培土とを備えていることにある。上記ユニット本体は、透水性及び通気性を有する防草シート部と、この防草シート部の裏面に重ねて取り付けてある第１及び第２の下シート部とを備えている。上記防草シート部は、その外側が上記第１及び第２の下シート部の周囲を囲むように外側に延伸したスカート部を形成している。上記第１及び第２の下シート部は透水性及び通気性を有しており、上記第２の下シート部が上記第１の下シート部と上記防草シート部との間に配置されている。上記培土は、上記第１の下シート部と第２の下シート部とによって形成されている収納袋に充填されており、上記培土に植えられる育成用苗を育成可能である。
この発明の第２の特徴は、上記第１の特徴を前提としており、防草シート部及び第１の下シート部が不織布製シートであり、第２の下シート部が紙製シートであることにある。
この発明の第３の特徴は、上記第１又は第２の特徴を前提としており、防草シート部並びに第１及び第２の下シート部が四角形に形成されており、上記第１及び第２の下シート部が上記防草シート部の中央部分に配置されていることにある。
この発明の第４の特徴は、上記第１又は第２の特徴を前提としており、防草シート部並びに第１及び第２の下シート部が四角形に形成されており、上記第１及び第２の下シート部が上記防草シート部の中央部分に配置され、スカート部が上記第１の下シート部の全周を囲んでおり、上記スカート部の折り曲げ部分で上記第１の下シート部の裏側を被覆可能であることにある。
この発明の第５の特徴は、上記第１又は第２の特徴を前提としており、防草シート部並びに第１及び第２の下シート部が四角形に形成されており、上記第１及び第２の下シート部が防草シート部の片側に配置されていることにある。
この発明の第６の特徴は、上記第１又は第２の特徴を前提としており、防草シート部並びに第１及び第２の下シート部が四角形に形成されており、上記第１及び第２の下シート部が上記防草シート部の片側に配置され、スカート部が上記第１の下シート部の全周を囲んでおり、上記スカート部の折り曲げ部分で上記第１の下シート部の裏側を被覆可能であることにある。
この発明の第７の特徴は、上記第１乃至第６のいずれかの特徴を前提としており、防草シート部には苗が貫通可能の挿通部を設けてあることにある。
【発明の効果】
【０００５】
この発明によれば、ユニット本体を構成している防草シート部並びに第１及び第２の下シート部は透水性及び通気性を有しているので、育苗の管理が容易である。
この発明によれば、防草シート部の裏面に重ねて取り付けてある第１及び第２の下シート部とが収納袋を形成し、この収納袋を利用して培土を充填するので、培土の充填がし易く、植栽地への設置が簡易となる。
【発明を実施するための最良の形態】
【０００６】
この発明に係る苗ユニットについて図１〜図９を参照して説明する。
図１〜図３に示す苗ユニット１は、ユニット本体２と、このユニット本体に充填しかつ、苗４を育成するための培土３とを備えている。
【０００７】
図４〜図６において、ユニット本体２は、透水性及び通気性を有する防草シート部５と、この防草シート部の裏面に重ねて取り付けてある第１及び第２の下シート部６ａ，６ｂとを備えている。
【０００８】
図４及び図５に示す防草シート部５は、図示の例では四角形の不織布製シートからなる。防草シート部５は、中央部分に苗４（図３）の上部側を通すための挿通部である切込み５ａを開けてあり、この切込みは図５に示す例では十字状に開けられている。
【０００９】
図４〜図６に示す第１及び第２の下シート部６ａ，６ｂはいずれも透水性及び通気性を有する部材からなり、下側の第１の下シート部６ａは四角形状の不織布製シートからなり、第２の下シート部６ｂは四角形状の紙製シートからなる。
第１の下シート部６ａの複数個所には、苗４の根を下方に延伸可能にするための根挿通部である十字状の切込み６ａ１を開けてある。
第１の下シート部６ａと第２の下シート部６ｂとはほぼ同一の大きさであって、互いに重ねられた状態でかつその外周が防草シート部５に固定されている。第２の下シート部６ｂは、第１の下シート部６ａと防草シート部５との間に配置されている。第１の下シート部６ａと第２の下シート部６ｂとは、固定されている状態で収納袋６を形成している（図３）。第１及び第２の下シート部６ａ，６ｂの外周の固定手段は、図１及び図２の例によれば、固定糸７による縫付けによるものである。
苗ユニット１の使用前では、第１及び第２の下シート部６ａ，６ｂの外周四辺、すなわち収納袋６の外周四辺うち、一辺（図４下辺）を残して図４〜図６に示すように各辺の縁部に沿って固定糸７により防草シート部５に縫付けられている。図３に示すように、縫付けられていない辺が収納袋６の開口部６ｃとなっている。
【００１０】
防草シート部５と第１及び第２の下シート部６ａ，６ｂとの関係について説明する。
図１〜図６に示すように防草シート部５は、第１及び第２の下シート部６ａ，６ｂより大きく形成されており、第１及び第２の下シート部６ａ，６ｂは防草シート部５の中央部分に配置されている。このため、防草シート部５は、第１及び第２の下シート部６ａ，６ｂより外側部分が第１及び第２の下シート部の外側の空間全周を被覆するスカート部５ｂとなっている。防草シート部５のスカート部５ｂには、図１及び図２に示すように縦横に縦折込み線５ｃ１及び横折込み線５ｃ２を設けてある。縦折込み線５ｃ１及び横折込み線５ｃ２は、第１及び第２の下シート部６ａ，６ｂを囲むように左右及び上下にそれぞれ間隔を置いて配置されている。スカート部５ｂは、図１及び図２に示すように、縦折込み線５ｃ１より左右外側が折り曲げ部分５ｂ１となっており、また横折込み線５ｃ２より上下外側が折り曲げ部分５ｂ２となっている。
収納袋６は、スカート部５ｂの折り曲げ部分５ｂ１を図２に示す左右両側の縦折込み線５ｃ１を中心として内側に折込み、そして折り曲げ部分５ｂ２を上下両側の横折込み線５ｃ２を中心として内側に折込むことによって、図７（ウ）及び図８に示すようにスカート部によってその全体が被覆される。
【００１１】
培土３は、図３に示すように第１及び第２の下シート部６ａ，６ｂによって形成されている収納袋６内に充填されている。
培土３の充填方法は、図４〜図６に示す状態にあるユニット本体２の収納袋６の開口部６ｃから培土を充填し、充填後はこの開口部を固定糸７による縫付けによって封止する。
苗４はその根側を切込み５ａに挿入してから、強く下方に押圧すれば、その押圧力によって第２の下シート部６ｂは破れるから、培土３に差し込まれる。苗４は、この差し込み操作を通じて培土３に植え付けられる。
【００１２】
次に、苗ユニット１の使用方法について説明する。
予め、図４〜図６に示すユニット本体２のように、第１及び第２の下シート部６ａ，６ｂの一辺を固定糸７によって縫い付けることなく、開放して開口部６ｃを設けておく。そして図７（ア）に示すように、培土３を第１及び第２の下シート部６ａ，６ｂ間すなわち、収納袋６の開口部６ｃから充填して、充填後にこの開口部を封止しておく。
まず、図７（イ）に示すように、防草シート部５を上にした状態で、苗４を防草シート部及び第２の下シート部６ｂを介して培土３内に差し込んで植え付ける。
次に、図７（ウ）及び図８に示すように、防草シート部５のスカート部５ｂを図２に示す左右の縦折込み線５ｃ１を中心として内側に折込み、その後上下の横折込み線５ｃ２を中心として内側に折込むことにより、収納袋６の裏側は折り曲げ部分５ｂ１，５ｂ２によって被覆され、最終的に苗ユニット１はスカート部によって苗付きユニット包装体１Ａとなる。
その後、苗付きユニット包装体１Ａを図７（ウ）鎖線に示す育成用床となる育成用の支持台８上に載置する。
同様に、他の苗ユニット１についても上記と同様の方法によって苗付きユニット包装体にして、これを育成用の支持台８上に順次並べて行く。
苗４が育成用の支持台８上で所定の大きさに成長した段階で、図９に示すように、高速道路の中央分離帯や路肩、のり面などの植栽地９上に苗ユニット１を設置する。設置時には、防草シート部５のスカート部５ｂを外側に開く。
設置後に、雨水は防草シート部５及び第２の下シート部６ｂを透水して収納袋６内の培土３に及ぶので、苗４の成長が図られる。また余分な水分は防草シート部５及び第２の下シート部６ｂを通じて外側へ蒸発され、また第１の下シート部６ａから植栽地９に流水される。また苗４の周辺はスカート部５ｂを有する防草シート部５によって被覆されるので、雑草の発生を抑制することができる。
【００１３】
この発明に係る苗ユニットの他の実施の形態について図１０〜図１６を参照して説明する。
図１０及び図１１に示す苗ユニット１１の構成及び使用方法は、図１〜図３に示す苗ユニット１のそれらと実質的に同一であるが、その構成に関して主たる相違点は収納袋１６の位置を片側に寄せていることにある。
以下、苗ユニット１１における特徴のみを説明し、その他の構成について苗ユニット１との共通する構成に関しては必要に応じて説明する。
【００１４】
苗ユニット１１のユニット本体１２における第１及び第２の下シート部１６ａ，１６ｂは、防草シート部１５の裏面に、図１０下辺側（図１１左側）に寄せて配置されている。
防草シート部１５のスカート部１５ｂには、図１２及び図１３に示すように、縦折込み線１５ｃ１及び横折込み線１５ｃ２を設けてある。縦折込み線１５ｃ１は収納袋１６を挟むようにそれぞれ配置されており、防草シート部１５の両側に折り曲げ部分１５ｂ１が形成されている。横折込み線１５ｃ２は防草シート部１５を上下２分する位置に配置されており、防草シート部１５の上半分側に折り曲げ部分１５ｂ２が形成されている。
このため、防草シート部１５のスカート部１５ｂは、横折込み線１５ｃ２を中心として２つ折りすることによって、折り曲げ部分１５ｂ２が収納袋１６を被覆することができる（図１５）。
図１３に示す符号１５ａは苗１４（図１１）の上部側を通すための挿通部である切込みであり、符号１６ａ１は第１の下シート部１６ａに開けてある苗の根を下方に延伸可能にするための根挿通部である切込みであり、符号１７は固定糸である。
【００１５】
苗ユニット１１の使用方法について説明する。
予め、培土１３を図１３及び図１４に示す状態にしてある第１及び第２の下シート部１６ａ，１６ｂによって形成されている収納袋１６内に開口部１６ｃを通じて充填し、充填後にこの開口部を封止しておく。
防草シート部１５を上にした状態で、苗１４を防草シート部及び第２の下シート部６ｂを介して培土１３内に差し込んで植え付けてから、防草シート部のスカート部１５ｂの折り曲げ部分１５ｂ２を横折込み線１５ｃ２を中心として内側に折込み、その後縦折込み線１５ｃ１を中心として内側に折込むことにより、図１５に示すように収納袋１６の裏側を折り曲げ部分１５ｂ１，１５ｂ２によって被覆して、苗ユニット１を苗付きユニット包装体１１Ａにして、これを育成用の支持台上に載置して、所定の大きさになるまで苗１４を育成する。
苗付きユニット包装体１１Ａ（図１５）の苗１４が所定の大きさに育成された段階で、苗付きユニット包装体を植栽地まで運搬して、その後に図１６に示すように、防草シート部１５のスカート部１５ｂの折り曲げ部分１５ｂ１，１５ｂ２を元に戻して、防草シート部を平板状に広げてから、苗ユニット１１を植栽地上に設置する。
【００１６】
図１〜図３に示す苗ユニット１においては、防草シート部５並びに第１及び第２の下シート部６ａ，６ｂは透水性及び通気性を有するので、培土３と共に、雨水の吸水及び蒸発が円滑に行われ、少ない手数で苗４の育成が可能となり、その管理がし易い。培土３は苗ユニット１の収納袋６内に確実に収納されるので、運搬などがし易い。収納袋６は防草シート部５のスカート部５ｂによって被覆され、植栽地に設置する前の段階で苗付きユニット包装体に加工することができるので、育成段階での取り扱いがし易い。
図１０及び図１１に示す苗ユニット１１においては、第１及び第２の下シート部１６ａ，１６ｂによって形成されている収納袋１６の位置が防草シート部１５の片側に寄せて配置されているので、図１１の例では左側に寄せて配置されているので、防草シート部の右側にスペースができ、例えば傾斜地に苗１４として蔓植物を植栽する場合には蔓を延ばすことができるスペースとして利用することができ、また植栽地の条件によっては植物の右側に所定のスペースを開けておく必要がある場合にも有効である。
苗ユニット１，１１では、折り曲げ部分５ｂ１，５ｂ２，１５ｂ１，１５ｂ２によって収納袋６，１６の裏側（外側）を構成している第１の下シート部６ａ，１６ａによって被覆可能であるので、育成用の支持台８へ苗ユニットを運搬する際にも、第１の下シート部に根挿通部６ａ１，１６ａ１を設けていても培土３，１３が漏れにくい。このため、第１の下シート部にメッシュシートを用いても良い。培土３，１３の充填時に、第２の下シート部６ｂ，１６ｂを下側にするので、防草シート部５，１５に切込みなどの挿通部５ａ，１５ａがあっても、防草シート部の外側へ培土へ離脱することがなく、充填作業を迅速かつ円滑に行える。
【００１７】
防草シート部５，１５及び第１及び第２の下シート部６ａ，６ｂ，１６ａ，１６ｂは四角形であることを要しないが、四角形にすることによって苗ユニット１，１１の加工、保管、運搬及び設置作業が簡易になる。
防草シート部５，１５に対する第１及び第２の下シート部６ａ，６ｂ，１６ａ，１６ｂの固着手段は固定糸７，１７によるものに限定されず、接着剤による固定などでも良く、図示する手段に限られない。
第２の下シート部６ｂは紙製シート、例えば新聞紙のような第２の下シート部を手で破ることができるものであれば、苗４，１４を培土３，１３に植え付ける際に、予め切込みなどの苗挿通部を設けておく必要がなく、植え付けが簡易に行える。もちろん、第２の下シート部６ｂは紙製であることに限定されない。
【図面の簡単な説明】
【００１８】
【図１】この発明に係る苗ユニットの実施の一形態を示す底面図である。
【図２】この発明に係る苗ユニットの実施の一形態を示す平面図である。
【図３】図２のＩＩＩ−ＩＩＩ線断面図である。
【図４】この発明に係る苗ユニットにおけるユニット本体を示す一部切欠底面図である。
【図５】この発明に係る苗ユニットにおけるユニット本体を示す一部切欠平面図である。
【図６】図４のＶＩ−ＶＩ線断面図であって、断面の位置から９０度反転して示している図である。
【図７】この発明に係る苗ユニットの使用の過程を段階的に示す断面図である。
【図８】図７（ウ）に示す段階における苗付きユニット包装体を示す底面図である。
【図９】この発明に係る苗ユニットの設置状態を示す断面図である。
【図１０】この発明に係る苗ユニットの実施の他の形態を示す一部切欠底面図である。
【図１１】図１０のＸＩ−ＸＩ線断面図であって、断面の位置から９０度反転して示している図である。
【図１２】図１０に示す苗ユニットにおけるユニット本体の一部切欠底面図である。
【図１３】図１０に示す苗ユニットにおけるユニット本体の平面図である。
【図１４】図１２のＸＩＶ−ＸＩＶ線断面図であって、断面の位置から９０度反転して示している図である。
【図１５】苗付きユニット包装体を示す底面図である。
【図１６】図１０に示す苗ユニットの設置前の状態における断面図である。
【符号の説明】
【００１９】
１，１１                      苗ユニット
２，１２                      ユニット本体
３，１３                      培土
４，１４                      苗
５，１５                      防草シート部
５ａ，１５ａ                  切込み（挿通部）
５ｂ，１５ｂ                  スカート部
５ｂ１，５ｂ２                折り曲げ部分
１５ｂ１，１５ｂ２            折り曲げ部分
５ｃ１，１５ｃ１              縦折込み線
５ｃ２，１５ｃ２              横折込み線
６，１６                      収納袋
６ａ，１６ａ                  第１の下シート部
６ａ１，１６ａ１              切込み（根挿通部）
６ｂ，１６ｂ                  第２の下シート部
６ｃ                          開口部
９                            植栽地
【図１】
2010045988.tif 000003
【図２】
2010045988.tif 000004
【図３】
2010045988.tif 000005
【図４】
2010045988.tif 000006
【図５】
2010045988.tif 000007
【図６】
2010045988.tif 000008
【図７】
2010045988.tif 000009
【図８】
2010045988.tif 000010
【図９】
2010045988.tif 000011
【図１０】
2010045988.tif 000012
【図１１】
2010045988.tif 000013
【図１２】
2010045988.tif 000014
【図１３】
2010045988.tif 000015
【図１４】
2010045988.tif 000016
【図１５】
2010045988.tif 000017
【図１６】
2010045988.tif 000018